(57)【要約】【目的】少なくとも３つ折り可能として、より多くの情報を記載することができるフォーム用紙を提供すること。【構成】この発明のフォーム用紙は、表裏を接着面とした内シートと、接着面にそれぞれ剥離可能に重ねられた表側シート及び裏側シートからなり、少なくとも３つ折りにするための折目線６，７を設けたものであって、前記折目線６，７でジグザグ状に折ったときに重なる互いの面の周縁の一部を、表側シート又は裏側シート５一部を剥離すると露出する接着面を利用して接着することにより、封筒状にすることができるようにしている。【選択図】　図４
2004066632.tif 000002
【特許請求の範囲】
【請求項１】
表裏を接着面（１）（２）とした内シート（３）と、接着面（１）（２）にそれぞれ剥離可能に重ねられた表側シート（４）及び裏側シート（５）からなり、少なくとも３つ折りにするための折目線（６）（７）を設けたものであって、前記折目線（６）（７）でジグザグ状に折ったときに重なる互いの面の周縁の一部を、表側シート（４）又は裏側シート（５）の一部を剥離すると露出する接着面（１）（２）を利用して接着することにより、封筒状にすることができるようにしたことを特徴とするフォーム用紙。
【請求項２】
封筒状にしたときに表紙になる領域（１０）以外の領域（１１）（１２）における開口部（８）となる側の縁部（２４）（２５）を切り取るための切り取り線（１７）を設けたものとし、前記縁部（２４）（２５）を切り取ることにより、封筒状にしたときに表紙になる領域（１０）の開口部（８）側の縁部（２０）が突出して蓋となるようにしている請求項１記載のフォーム用紙。
【請求項３】
表側シート（４）又は裏側シート（５）の一部を剥離するための切目（１９）（２３）を設けている請求項１又は２記載のフォーム用紙。
【発明の詳細な説明】
【０００１】
【発明の属する技術分野】
この発明は、給与明細書、請求書、その他各種の用途で使用可能なフォーム用紙に関するものである。
【０００２】
【従来の技術】
請求書や給与明細付の給料袋等に使用される袋型の用紙は、袋の内側に印字するものであり、レーザビームプリンタでは印字できず、ドットプリンタを使用しなければならないので、プリンタ装置が２種類必要になるという問題点があり、レーザビームプリンタを使用して印字できる封筒型伝票の開発が望まれていた。
【０００３】
そのため、出願人は、レーザービームプリンタ用封筒型伝票として、特開平２００２−１７８６７２号に開示されたものを発明した。しかし、このレーザービームプリンタ用封筒型伝票は、２つ折りにしかできないため、記載できる情報量が少なく、用途が限定されていた。
【０００４】
【発明が解決しようとする課題】
そこで、この発明は、少なくとも３つ折り可能として、より多くの情報を記載することができるフォーム用紙を提供することを課題とする。
【０００５】
【課題を解決するための手段】
前記課題を解決するため、この発明は次のような技術的手段を講じている。
【０００６】
この発明のフォーム用紙は、表裏を接着面１，２とした内シート３と、接着面１，２にそれぞれ剥離可能に重ねられた表側シート４及び裏側シート５からなり、少なくとも３つ折りにするための折目線６，７を設けたものであって、前記折目線６，７でジグザグ状に折ったときに重なる互いの面の周縁の一部を、表側シート４又は裏側シート５の一部を剥離すると露出する接着面１，２を利用して接着することにより、封筒状にすることができるようにしている。
【０００７】
封筒状にしたときに表紙になる領域１０以外の領域１１，１２における開口部８となる側の縁部２４，２５を切り取るための切り取り線１７を設けたものとし、前記縁部２４，２５を切り取ることにより、封筒状にしたときに表紙になる領域１０の開口部８側の縁部２０が突出して蓋となるようにすることができる。
【０００８】
また、表側シート４又は裏側シート５の一部を剥離するための切目１９，２３を設けてもよい。
【０００９】
【発明の実施の態様】
以下、この発明の実施の形態を、図面を参照して説明する。
【００１０】
この発明のフォーム用紙は、表裏を接着面１，２とした内シート３と、接着面１，２にそれぞれ剥離可能に重ねられた表側シート４及び裏側シート５からなり、少なくとも３つ折りにするための折目線６，７を設けたものであって、前記折目線６，７でジグザグ状に折ったときに重なる互いの面の周縁の一部を、表側シート４又は裏側シート５の一部を剥離すると露出する接着面１，２を利用して接着することにより、封筒状にすることができるようにしたものである。
【００１１】
図１は、このフォーム用紙の正面図、図２は、このフォーム用紙の背面図、図３は、このフォーム用紙の一端の表側シート４及び裏側シート５を少し剥離した場合の断面図、図４は、このフォーム用紙を折目線６，７で折る様子を表側から見た場合を示す説明図、図５は、同裏側から見た場合を示す説明図、図６は、このフォーム用紙を封筒状にしたときの裏側からみた場合を示す説明図、図７は、このフォーム用紙を封筒状にし、その周縁の一部を切り取る様子を示す説明図、図８は、前記周縁の一部を切り取って冊子状にした場合を示す説明図である。
【００１２】
なお、図１中のフォーム用紙の右側が、封筒状にしたときに開口部８となり、左側が底部９となる。
【００１３】
このフォーム用紙は、大きさをＡ４版としており、レーザービームプリンター等で表裏両面に印刷を行なうことができる。なお、フォーム用紙の大きさは適宜変更可能であり、Ｂ４版、Ｂ５版、Ａ５版等の大きさとすることができる。このフォーム用紙は、例えば給与明細書として使用することができる。
【００１４】
このフォーム用紙は、図３に示したように、表裏に接着剤を塗布して形成された接着面１，２を有する内シート３と、この表裏の接着面１，２にそれぞれ重ねられた表側シート４及び裏側シート５から構成される。表側シート４及び裏側シート５は、それぞれの前記接着面１，２と接する面に剥離層が形成され、内シート３から剥離可能となっており、剥離層が形成されていない面には適宜の内容を印刷可能としている。
【００１５】
折目線６，７は、このフォーム用紙を上下方向に３等分するように、平行に２本設けられている。折目線６，７は、ミシン目や折り癖、表側シート４又は裏側シート５に印刷された線等とすることができる。なお、折目線６，７は、必ずしもフォーム用紙を３等分するものである必要は無く、分割された各領域の大きさが違うものとしたり、４つ以上に分割されるものとしたりすることもできる。
【００１６】
折目線６，７によって、このフォーム用紙は上段領域１０、中段領域１１、下段領域１２の各領域に分割される。上段領域１０の表側には「給与明細書」等のタイトルが印刷されており、中段領域１１、下段領域１２の表側には、給与明細等に関する種々の内容が記載されるようにしている。上段領域１０の表側には、郵送のためのあて先等を記載してもよい。
【００１７】
また、このフォーム用紙には、上方の折目線６の上下にこれと平行する横方向の切り取り線１３，１４、下縁部に左右両端に至る横方向の切り取り線１５、底部９側の縁部に上端から下端に至る縦方向の切り取り線１６、開口部８側の縁部に中段領域１１及び下段領域１２の上端から下端に至る縦方向の切り取り線１７がそれぞれ形成されている。横方向の切り取り線１３，１４，１５は、このフォーム用紙を封筒状にしたときに、重なるようにしている。これらの切り取り線は、ミシン目とすることができる。
【００１８】
このフォーム用紙の下段領域１２には、その底部９側の縁部と下縁部からなるＬ字状部分１８における表側シート４を剥離できるように切目１９が表側シート４に形成されており（図１参照）、上段領域１０には、その開口部８側の縁部２０における裏側シート５、並びに、上縁部と底部９側の縁部からなる倒立Ｌ字状部分２１における裏側シート５を剥離できるように切目２２，２３が裏側シート５に形成されている（図２参照）。
【００１９】
このフォーム用紙を封筒状にする場合は、まず、封筒状にしたときに表紙になる領域以外の領域における開口部８となる側の縁部を切り取る。すなわち、前記縦方向の切り取り線１７で、中段領域１１と下段領域１２における開口部８側の縁部２４，２５を切り取る。
【００２０】
そして、このフォーム用紙を折目線６，７でジグザグ状に（山折と谷折を交互に）折る。すなわち、図４、図５に示したように、表側から見て、上方の折目線６で山折りにし、下方の折目線７で谷折りにする。その際、下段領域１２の前記Ｌ字状部分１８の表側シート４を剥離するとともに、上段領域１０の前記倒立Ｌ字状部分２１の裏側シート５を剥離し、接着面１，２を一部露出させる。
【００２１】
図４中、露出した下段領域１２のＬ字状部分１８の接着面１は、中段領域１１の上端の縁部２６と底部９側の縁部２７に接着させ、図５中、露出した上段領域１０の倒立Ｌ字状部分２１の接着面２は、中段領域１１の下端の縁部２８と底部９側の縁部２９に接着させる。
【００２２】
これにより、前記折目線６，７で折ったときに重なる、表側における中段領域１１と下段領域１２、並びに、裏側における上段領域１０と中段領域１１のそれぞれの互いの面の周縁の一部が、前記露出した接着面１、２により接合し、図６に示したような封筒ができる。
【００２３】
このようにしてできた封筒には、開口部８から各種の紙片を挿入することができる。また、この封筒は、前記中段領域１１と下段領域１２の開口部８側の縁部２４，２５が切り取られているため、表紙となっている上段領域１０の開口部８側の縁部２０が突出しており、この縁部２０が開口部８を塞ぐ蓋となる。そして、この縁部２０の裏側シート５を剥離して接着面２を露出させ、裏側に折り曲げて下段領域１２に接着させることにより、封をすることができる。
【００２４】
封をした状態の封筒は、周縁を切り取って開封しないと、図１における中段領域１１及び下段領域１２の表側に記載した事項、並びに開口部８から挿入した紙片の内容を読むことはできない。
【００２５】
この封筒を開封する場合は、図７に示したように、重なった横方向の切り取り線１３，１４，１５、縦方向の切り取り線１６で封筒の下端と底部９側の周縁３０，３１を切り取り、開口部８側の端部３２をペーパーナイフ等で切り開く。すると、この封筒は、図８に示したような、３枚の紙片からなる冊子状となる。このように、このフォーム用紙は、封筒状にしたときの周縁の一部を切り取ることにより冊子状にすることができる。
【００２６】
【発明の効果】
この発明の　フォーム用紙は、上述のような構成を有しており、封筒状にしてその内部に適宜の紙片を挿入することができるとともに、少なくとも３つ折り可能であるため、より多くの情報を記載することができる。
【図面の簡単な説明】
【図１】この発明の実施形態のフォーム用紙の正面図。
【図２】この発明の実施形態のフォーム用紙の背面図。
【図３】この発明の実施形態のフォーム用紙の一端の表側シート及び裏側シートを少し剥離した場合の断面図。
【図４】この発明の実施形態のフォーム用紙を折目線で折る様子を表側から見た場合を示す説明図。
【図５】この発明の実施形態のフォーム用紙を折目線で折る様子を裏側から見た場合を示す説明図。
【図６】この発明の実施形態のフォーム用紙を封筒状にしたときの裏側からみた場合を示す説明図。
【図７】この発明の実施形態のフォーム用紙を封筒状にし、その周縁の一部を切り取る様子を示す説明図。
【図８】この発明の実施形態のフォーム用紙を封筒状にした場合の周縁の一部を切り取って冊子状にした場合を示す説明図。
【符号の説明】
１，２　接着面
３　内シート
４　表側シート
５　裏側シート
６，７　折目線
８　開口部
１０　表紙になる領域
１１，１２　表紙になる領域以外の領域
１７　切り取り線
１９，２３　切目
２０　表紙になる領域の開口部側の縁部
２４，２５　開口部となる側の縁部
【図１】
2004066632.tif 000003
【図２】
2004066632.tif 000004
【図３】
2004066632.tif 000005
【図４】
2004066632.tif 000006
【図５】
2004066632.tif 000007
【図６】
2004066632.tif 000008
【図７】
2004066632.tif 000009
【図８】
2004066632.tif 000010